(57)【特許請求の範囲】
【請求項１】
押しボタンが挿入される開口と,該開口の一方のみに撓み部を有する電子機器の本体と,前記開口の一方に係止される係止片と前記開口の一方と相対する他方に係止される当接片とを有する押しボタンと,前記開口に対応してプリント基板に固定されるスイッチと，前記開口の一端から延在形成されて他端へと続く、自在に撓むことが可能として、前記押しボタンを弾性支持するばね部と，前記ばね部の背面方向に棒状に延在形成されて前記スイッチを開閉操作する押圧軸と，を備えた押しボタンの取付構造において；
前記本体は、ほぼ所定の厚さの板状であり、
前記撓み部は、前記本体よりも撓みやすく、
前記当接片及び係止片は、前記押しボタンの押圧部材の周縁に設けられ、前記開口周辺の裏面側周縁部に係合する係止部材であり、
前記開口に対して前記押圧部材を斜めに差し込み、前記当接片を前記開口の裏面に当接させた後、該当接片を支点にして前記押圧部材を回転させ、前記係止片を撓み部に押しつけながら該開口を通過させ、該係止片を該開口の裏面に係止させることを特徴とする押しボタンの取付構造。
【請求項２】
撓み部が、前記開口の一方近傍にスリットを設けたことにより構成され、又、前記開口の一方に、前記本体の上面側から裏面側へ前記開口方向に傾斜する傾斜面を有するガイド溝を設けたことを特徴とする請求項１記載の押しボタンの取付構造。
【請求項３】
撓み部が、前記開口の一方を薄肉に形成したことにより構成されることを特徴とする請求項１記載の押しボタンの取付構造。
【請求項４】
開口が、間隔をおいて直列に複数配設され、撓み部が、前記開口の配列方向に沿って一軸上に形成されていることを特徴とする請求項１記載の押しボタンの取付構造。
【発明の詳細な説明】
【０００１】
【発明の属する技術分野】
この発明は、 電子機器、インターホン関連機器などに用いられる押しボタンの取付構造に関するものである。
【０００２】
【従来の技術】
従来、電子機器には、様々な機能を果たすための押しボタンが装備されている。その機能は、電子機器内のプリント基板上に配置されたスイッチを押すことにより果たされるが、このスイッチに対して、人間が直接指で押すには小さくて押しにくい、または、機能により押しボタンの形状や色を変えたい、などの要望がある。そこで、通常はスイッチより大きい押しボタンをスイッチの上に配置して、機能ごとに押しボタンの形状や色を変えて使用している。
【０００３】
従来の電子機器の本体は、スイッチを載置したプリント基板を内装しており、該スイッチの上面に、押しボタン用の開口が設けられている。
この開口に装着される押しボタンは、開口から露出する押圧部材と、前記押圧部材の両側に設けられた一対の係止部材、すなわち、係止片と当接片と、を備え、前記開口の一端から延在形成されて他端へと続く、自在に撓むことが可能なばね部、により弾性支持されている。そのため、押しボタンを開口の裏面側から表面側に向かって挿入することができない。
【０００４】
そこで、次のようにして押しボタンを装着している。
はじめに、開口に対して押しボタンを斜めに差し込み、当接片を開口周辺の裏面側に当接させる。次に、該当接片を支点に、押しボタンを回転させながら係止片を開口内に挿入し開口周辺の裏面側に当接させる。
【０００５】
押しボタンを押すと、ばね部に固定されている押圧軸が押し下げられてスイッチを押すことで、スイッチの開閉操作を行う。
【０００６】
【発明が解決しようとする課題】
従来例では、押しボタンの当接片と係止片とを含めた幅は、開口の幅より大きいため、開口に押しボタンを挿入する際には、係止片が当接しながら通過する開口周辺を撓ませたり、当接片側の開口周辺を撓ませたりして、開口に押しボタンを取り付ける必要がある。
ところが、この周辺は本体と同一の肉厚で形成されているため、撓みにくいので、押しボタンを大きな力で押圧しなければならない。
しかし、この様にすると、押しボタンの取り付け作業を円滑に能率良く行うことができなくなるとともに、押しボタンやスイッチなどを傷つけるおそれがある。
【０００７】
この発明は、上記事情に鑑み、円滑に押しボタンの装着ができるようにすることを目的とする。他の目的は、押しボタンやスイッチなどを傷つけることを防止することである。
【０００８】
【課題を解決するための手段】
この発明は、押しボタンが挿入される開口と,該開口の一方のみに撓み部を有する電子機器の本体と,前記開口の一方に係止される係止片と前記開口の一方と相対する他方に係止される当接片とを有する押しボタンと,前記開口に対応してプリント基板に固定されるスイッチと，前記開口の一端から延在形成されて他端へと続く、自在に撓むことが可能として、前記押しボタンを弾性支持するばね部と，前記ばね部の背面方向に棒状に延在形成されて前記スイッチを開閉操作する押圧軸と，を備えた押しボタンの取付構造において；前記本体は、ほぼ所定の厚さの板状であり、前記撓み部は、前記本体よりも撓みやすく、前記当接片及び係止片は、前記押しボタンの押圧部材の周縁に設けられ、前記開口周辺の裏面側周縁部に係合する係止部材であり、前記開口に対して前記押圧部材を斜めに差し込み、前記当接片を前記開口の裏面に当接させた後、該当接片を支点にして前記押圧部材を回転させ、前記係止片を撓み部に押しつけながら該開口を通過させ、該係止片を該開口の裏面に係止させることを特徴とする。
【０００９】
この発明の撓み部が、前記開口の一方近傍にスリットを設けたことにより構成され、又、前記開口の一方に、前記本体の上面側から裏面側へ前記開口方向に傾斜する傾斜面を有するガイド溝を設けたことを特徴とする。この発明の撓み部が、前記開口の一方を薄肉に形成したことにより構成されることを特徴とする。この発明の開口が、間隔をおいて直列に複数配設され、撓み部が、前記開口の配列方向に沿って一軸上に形成されていることを特徴とする。
【００１０】
【発明の実施の形態】
本発明は、開口周辺に、係止部材の通過抵抗を緩和する為の撓み部を設け、押しボタンが開口周辺を押圧したときに該撓み部が弾性変形されることにより、該係止部材が容易に開口を通過できるようにするものである。
【００１１】
本発明の第１実施例を図１〜図９に基づき説明する。
電子機器の１つである住宅情報盤１は、共同住宅の住居内に設置され、住居玄関に設けられた図示しないドアホンや共同玄関に設けられた図示しない集合玄関機との通話を行ったり、住居内や廊下等に設けられた図示しない火災感知器と接続され、火災発生時に住居内に火災発生を知らせたりするためのものである。
【００１２】
住宅情報盤１の本体２は、例えば、ＡＢＳ樹脂によりほぼ所定の厚さ、例えば、厚さ3mm、の板状で形成されている。この本体２には、様々な機能を果たすための押しボタン３が装備されており、その周囲を化粧プレート４により覆うことにより押しボタン３の機能表示及び外観上の美観を保っている。
【００１３】
本体２は、押しボタン３が挿入される、長方形状の開口ａを有しており、該開口ａ周辺の一方の長辺部ａ１近傍には、撓み部１０を形成するためのスリット５が設けられている。撓み部１０は、一方の長辺部ａ１とスリット５との間に形成され、後述する押しボタン３の押圧部材３１を本体２の開口ａに取り付ける際に弾性により歪み、押圧部材３１を開口ａに容易に取り付けるためのものである。開口ａ周辺の両長辺部ａ１，ａ２には、ガイド溝Ｇがそれぞれ設けられている。
【００１４】
このガイド溝Ｇは、押しボタン３を開口ａに挿入する際に、後述する押しボタン３の係止片３３が摺動し、本体２の上面側から背面側へ開口ａ方向に傾斜した面を有する断面略三角形の切欠きであり、係止片３３を開口ａに挿入するときに、傾斜面で係止片３３を受け、ガイド溝Ｇの背面側で係止片３３を係止する。
【００１５】
押しボタン３は、開口ａから露出する押圧部材３１と、押圧部材３１の周縁に設けられ、かつ、開口ａ周辺の長辺部ａ２に係止される一方の係止部材、即ち当接片３２と、開口ａ周辺の長辺部ａ１に係止される他方の係止部材、即ち係止片３３と、により構成されている。
【００１６】
当接片３２は、本体２の開口ａへ押しボタン３の押圧部材３１を取り付ける際に、開口ａの長辺部ａ２の裏面と充分に当接するように、押圧部材３１の周縁に幅広く形成された、断面略長方形状の係止部材である。
係止片３３は、本体２の開口ａへ押しボタン３の押圧部材３１を取り付ける際に、開口ａの長辺部ａ１にあるガイド溝Ｇの傾斜面を摺動し、ガイド溝Ｇの背面側で係止するように、押圧部材３１の周縁にガイド溝Ｇの幅よりも狭く形成された断面略台形状の係止部材である。
また、本体２には、ばね部３４と押圧軸３５とが形成されている。
【００１７】
押圧部材３１は、開口ａに挿入され、当接片３２及び係止片３３は開口ａ周辺の長辺部ａ１，ａ２の裏面側周縁部に係合する。
ばね部３４は、開口ａ周辺の一方の短辺部ａ３から延在形成され、中央の押圧部材３１を載置する受け部３４ａを介して他方の短辺部ａ４へと続き、受け部３４ａと一方の短辺部ａ３間及び受け部３４ａと他方の短辺部ａ４間が自在に撓むことを可能として、開口ａに挿入された押圧部材３１を弾性支持するものである。このばね部３４により、押圧部材３１は開口ａ内で上下左右にがたつかない。
【００１８】
押圧軸３５は、ばね部３４の受け部３４ａから本体２の背面方向に棒状に延在形成されており、スイッチ７を開閉操作するものである。このスイッチ７は、本体２に内装されたプリント基板６に載置されている。
押圧部材３１を押すと、ばね部３４が弾性変形して押されるとともに、押圧軸３５が押し下げられ、スイッチ７を押す。このようにスイッチ７の押圧構造は、押しボタン３と、本体２に形成されたばね部３４と、押圧軸３５と、で構成されている。
【００１９】
次に、本体２の開口ａへの押しボタン３の押圧部材３１の取付方法を説明する。
図６、図７に示すように、本体２の開口ａに対して押圧部材３１を斜めに差し込み、当接片３２を開口ａの長辺部ａ２の裏面に当接させる。
次に、図８、図９に示すように、当接片３２を支点に押圧部材３１を矢印Ａ３方向に回転させ、係止片３３を撓み部１０に押しつけながら該開口ａを通過させる。
【００２０】
このとき、撓み部１０は係止片３３により押圧され、弾性により矢印Ａ１０方向に歪む。そのため、開口ａが広くなるので、従来例に比べ、軽い力で容易に押しボタン３の押圧部材３１を挿入することができる。
また、過度な力をかけなくても押圧部材３１を開口ａに挿入することができるため、押しボタン３、本体２，スイッチ７を傷つけることがない。
【００２１】
撓み部１０を通過した係止片３３は、図５に示すように、開口ａ周辺の長辺部ａ１の裏面に係止するとともに、押しボタン３は、図３〜図５に示すように、完全に開口ａに装着される。
【００２２】
なお、当接片３２を開口ａの長辺部ａ１の裏面に当接させ、押圧部材３１の当接片３２側の側面で撓み部１０を歪ませながら、係止片３３を長辺部ａ２の裏面に当接させて、押しボタン３の押圧部材３１を開口ａに取り付けることも可能である。
【００２３】
押しボタン３の取付作業終了後、スリット５の上面に化粧プレート４を取り付ける。この化粧プレート４により、本体２内への塵埃、水滴の侵入を防止できる。
【００２４】
また、押しボタン３が挿入される開口ａは、互いに間隙ｅをおいて横方向に直列に複数配設され、各開口ａの撓み部１０は、長辺部ａ１側の同一Ｘ軸上に形成されている。
【００２５】
このように一軸上に複数の撓み部１０を形成したので、間隙ｅに撓み部１０を形成する場合に比べて強度低下はほとんどなく、押圧部材３１を開口ａに挿入する際、間隙ｅを壊したりすることがない。そのため、隣り合う開口ａ間の間隙ｅを狭くすることができるので、スペースを有効に利用することができるとともに、押しボタン３を使い勝手良く配設することができる。
【００２６】
この発明の第２実施例を図１０〜図１２に基づいて説明するが、図１〜図９と同一図面符号はその名称も機能も同一である。
本実施例と第１実施例との相違点は、第１実施例では、開口ａの一方の長辺部ａ１近傍にスリット５を設けて撓み部１０を形成したのに対し、本実施例では開口ｂの長辺部ｂ１を本体２００よりも薄肉に形成して撓み部１００を形成したことである。
【００２７】
次に、本体２００の開口ｂへの押しボタン３の押圧部材３１の取付方法を説明する。
図１０に示すように、本体２００の開口ｂに対して押圧部材３１を斜めに差し込み、当接片３２を開口ｂの長辺部ｂ２の裏面に当接させる。
【００２８】
次に、図１１に示すように、当接片３２を支点に押圧部材３１を矢印Ａ３方向に回転させ、係止片３３を撓み部１００に押しつけながら該開口ｂを通過させる。
【００２９】
このとき、撓み部１００は係止片３３により押圧され、弾性により歪む。そのため、開口ｂが広くなり、押しボタン３の通過抵抗が緩和されるので、従来例に比べ、軽い力で容易に押しボタン３の押圧部材３１を挿入することができる。また、過度な力をかけなくても押圧部材３１を開口ｂに挿入することができるため、押しボタン３、本体２００、スイッチ７を傷つけることがない。
【００３０】
撓み部１００を通過した係止片３３は、図１２に示すように、開口ｂの長辺部ｂ１の裏面に係止する。
【００３１】
なお、当接片３２を開口ｂの長辺部ｂ１の裏面に当接させ、押圧部材３１の当接片３２側の側面で撓み部１００を歪ませながら、係止片３３を長辺部ｂ２の裏面に当接させて、押しボタン３の押圧部材３１を開口ｂに取り付けることも可能である。
【００３２】
本発明の実施例は、上記に限定されるものではなく、例えば、次のようにしても良い。
（１）上記実施例では、スイッチの押圧構造は、押圧部材と当接片と係止片とで形成された押しボタンと、本体と一体に形成されたばね部と押圧軸と、で構成されていたが、押圧部材と、当接片と、係止片と、押圧軸と、で構成された押しボタンが、直接スイッチを押圧するようにしても良く、つまり、押しボタンが本体の開口に取り付けられるものであれば、上記実施例に限定されない。
【００３３】
（２）上記実施例では、開口を長方形状に形成したが、この開口は、押しボタンの形状、大きさなどに対応して適宜変更されることは勿論である。例えば、開口の形状として、楕円形、円形、正方形、などが選択される。
（３）上記実施例では、開口周辺の一方の長辺部のみ、に撓み部を形成したが、両方の長辺部に撓み部を形成しても良い。
これにより、より軽い力で容易に押しボタンの押圧部材を開口に挿入することができる。
【００３４】
（４）上記実施例では、撓み部をスリット、又は、薄肉部により形成したが、他の方法により撓み部を形成してもよい。この撓み部は、係止片の通過抵抗、即ち、係止片が開口を通過するときの抵抗、を緩めるための手段であるので、そのような機能を果たすことができれば、どのような方法によって撓み部を形成しても良い。
（５）上記実施例では、押圧部材の当接片は、本体の開口へ押しボタンの押圧部材を取り付ける際に、開口の長辺部の裏面と充分に当接するように、押圧部材の周縁に幅広く形成したが、係止片と同等の幅に形成してもよい。
それにより、本体の開口へ押しボタンの押圧部材を取り付ける際に、当接片、係止片のどちらを先に開口へ挿入しても、本体の開口へ押しボタンの押圧部材を取り付けることが可能となる。
【００３５】
（６）上記実施例では、押圧部材の当接片と係止片を異なる形状に形成したが、同一形状、例えば当接片を係止片と同じ形状に形成してもよく、開口への取付時に当接片の位置関係を気にせずに行うことができる。
（７）上記実施例では、電子機器の１つである住宅情報盤の押しボタンの取付構造について説明したが、押しボタンが本体の開口に取り付けられるものであればよく、所謂、増設インターホンや管理室通話制御盤等のインターホン関連機器でもよい。勿論、電子機器全般にも適用することができる。
【００３６】
【発明の効果】
この発明は、以上のように構成したので、押しボタンを開口に装着する際、該撓み部は押しボタンに押されて弾性変形する。そのため、開口が広がり、係止部材の通過抵抗が緩和されるので、従来例に比べて大幅に小さな力で押しボタンの装着を行うことができる。
従って、押しボタンの取付作業を円滑に行うことができるとともに、押しボタン、本体、スイッチ、などの部品を傷つける恐れも少ない。
【図面の簡単な説明】
【図１】本発明の第１実施例を示す平面図で、化粧プレートの一部を除去した図である。
【図２】図２（ａ）は開口を示す拡大平面図であり、図２（ｂ）は押しボタンを示す拡大平面図である。
【図３】図１の要部拡大図である。
【図４】図３のIV-IV線断面図である。
【図５】図５は図３のV-V線断面図である。
【図６】押しボタンの装着第１段階を示す拡大平面図である。
【図７】図６のVII-VII線断面図である。
【図８】押しボタンの装着第２段階を示す拡大平面図である。
【図９】図８のIX-IX線断面図である。
【図１０】本発明の第２実施例を示す縦断面拡大図であり、押しボタンの装着第１段階を示す図である。
【図１１】本発明の第２実施例を示す縦断面拡大図であり、押しボタンの装着第２段階を示す図である。
【図１２】本発明の第２実施例を示す縦断面拡大図であり、押しボタンの装着完了時の状態を示す図である。
【符号の説明】
２     本体
３     押しボタン
10     撓み部
32     当接片
33     係止片
ａ    開口
a1     長辺部
a2     長辺部
【図１】
0003876336.tif 000002
【図２】
0003876336.tif 000003
【図３】
0003876336.tif 000004
【図４】
0003876336.tif 000005
【図５】
0003876336.tif 000006
【図６】
0003876336.tif 000007
【図７】
0003876336.tif 000008
【図８】
0003876336.tif 000009
【図９】
0003876336.tif 000010
【図１０】
0003876336.tif 000011
【図１１】
0003876336.tif 000012
【図１２】
0003876336.tif 000013